(57)【要約】      （修正有）【課題】構造が簡単であり、ファッションを楽しむことができ、また、身の回りを実用的に整理することができるバッグを提供する。【解決手段】ホルダー付きバッグ１はバッグ本体１０の壁面１１に矩形開口部１３の横方向に対向する両辺に掛渡したホルダー部２０を備える。このホルダー部は材質がエラストマーからなり、形状が平面視で円弧形状であり、バッグ壁面の内外に自在に突出することができる。このホルダー部にボールペン、クリップ付き小物入れ等を掛けることができる。また他の壁面１２に開口部３０を備え、この開口部にはメガネ等を装着できる。【選択図】図１
0003165764.tif 000002
【実用新案登録請求の範囲】
【請求項１】
材質がエラストマー及び樹脂のうちから選ばれたいずれか一方又は両方からなるバッグ本体と、ホルダー部と、からなるホルダー付きバッグであって、
上記ホルダー部は上記バッグ本体の壁面に設けられた矩形の開口部の横軸方向に相対する両辺に掛渡して設けられ、上記ホルダー部は平面視で円弧形状をなし、且つ上記ホルダー部は上記バッグ本体の壁面の内側及び外側に突出自在である
ことを特徴とするホルダー付きバッグ。
【請求項２】
上記ホルダー部の材質及び上記バッグ本体の材質の両方がエラストマーからなる請求項１に記載のホルダー付きバッグ。
【請求項３】
上記ホルダー部と上記バッグ本体は、一体に成形された請求項１又は請求項２に記載のホルダー付きバッグ。
【請求項４】
更に、上記壁面と異なる壁面に開口部を備えた請求項１乃至請求項３のいずれか１項に記載のホルダー付きバッグ。
【考案の詳細な説明】
【技術分野】
【０００１】
本考案はホルダー付きバッグに関し、更に詳しくは、ホルダー部は弾性変形可能な軟質材からなり、バッグ本体の壁面の矩形開口部の相対する両辺に掛渡され、平面視で略円弧状であり、且つ該壁面の外側及び内側に突出自在であるホルダー付きバッグに関する。
【背景技術】
【０００２】
バッグに収容するものとして、本やノート或いは衣類など、バッグから取り出しが容易なものもあるが、ボールペン、キーホルダー、バッグハンガーなど取出しが容易ではない小物もある。
ここで、小物を収容するために特別のスペースを設けたバッグが提案されている（例えば、特許文献１参照。）。このバッグは、バッグを横断する方向の仕切りを設け、仕切の一方側を小物入れとした構成である。バッグの中に特別の小物入れを形成したので、この一方側のカバーを開ければ簡単に目的の小物を取り出して使用することができる。また使用後の収容やバッグ内部の整理も容易である。更に、必要な場合には、この一方側の小物入れを分割して、単独で持ち運びをすることができる。
【先行技術文献】
【特許文献】
【０００３】
【特許文献１】特開平８−１９６３２２号公報
【考案の概要】
【考案が解決しようとする課題】
【０００４】
しかし、特許文献１のバッグは、小物入れ部分を仕切るための部材が必要であり、構造が複雑である。また、バッグの外部に小物入れ等を着用する際には、特別の構造の係止部材及び被係止部材が必要であり、構造が簡易とはいえない。
【０００５】
本考案は、前記の問題を解決するものであり、構造が簡単であり、ファッションを楽しむことができ、また、身の回り品を実用的に整理することができるバッグを提供することを目的とする。
【課題を解決するための手段】
【０００６】
本願考案は下記のとおりである。
１．材質がエラストマー及び樹脂のうちから選ばれたいずれか一方又は両方からなるバッグ本体と、ホルダー部と、からなるホルダー付きバッグであって、上記ホルダー部は上記バッグ本体の壁面に設けられた矩形の開口部の横軸方向に相対する両辺に掛渡して設けられ、上記ホルダー部は平面視で円弧形状をなし、且つ上記ホルダー部は上記バッグ本体の壁面の内側及び外側に突出自在であることを特徴とするホルダー付きバッグ。
２．ホルダー部の材質及びバッグの材質の両方がエラストマーからなる上記ホルダー付きバッグ。
３．ホルダー部はバッグ本体と一体に成形された上記ホルダー付きバッグ。
４．更に、上記壁面と異なる壁面に開口部を備えたホルダー付きバッグ。
【考案の効果】
【０００７】
本願考案のホルダー付きバッグは、構造が簡単であり、そのため製造容易である。このホルダー部はバッグ本体の壁面の内側又は外側に突出させることが可能である。この為、外側に突出させて使用する場合は、アクセサリー要素の大きい身の回り品を掛けることによりファッションを楽しむことができる。また、内側に突出させて使用する場合は、身の回り品を実用的に整理することができる。
【０００８】
バッグの材質及びホルダー部の材質の両方がエラストマーである場合は、両者がなじみ易く、バッグ本体にホルダー部の取付けが容易となる。エラストマーは柔軟であり、且つ弾性変形率及び塑性変形率が大きいため、円弧形状に設けられたホルダー部は外部力によりバッグの外側及び内側に円弧形状を保持して突出が可能となる。
【０００９】
また、ホルダー部とバッグ本体が一体に成形された場合は、製造工程が単一となり、安価に製造できる。
更に、バッグ本体の上述の壁面と異なる壁面に開口部を設けた場合は、この開口部に引掛け可能な身の回り品、小物（例えばメガネ等）を掛けることによりバッグを便利に使用することが可能であるとともにファッションをも楽しむことができる。
【図面の簡単な説明】
【００１０】
【図１】本願考案のホルダー付きバッグのホルダー部をバッグの外側に突出させた場合の斜視図である。
【図２】本願考案のホルダー付きバッグのホルダー部の横断面説明図である。
【図３】本願考案のホルダー付きバッグのホルダー部をバッグの内側に突出させた場合の一部拡大斜視図である。
【図４】本願考案のホルダー付きバッグのホルダー部及び開口部にボールペンクリップ及びメガネを装着する場合の説明図である。
【図５】本願考案のホルダー付きバッグにボールペン及びメガネを装着した状態を示す説明図である。
【考案を実施するための形態】
【００１１】
本願考案に係るホルダー付きバッグ１（以下単に「バッグ」ともいう。）を図に基づいて詳細に説明する。図は本願考案を説明するためのものであり、本願考案は図に制限されるものではない。図に付された記号（数字）は、同一の部材については省略し、また部材が明らかな場合は記号を省略している。
【００１２】
図１は本願考案のホルダー付きバッグ１のホルダー部２０をバッグ本体１０の壁面１１の外側に突出させた場合の斜視図である。バッグ本体１０は材質がエラストマー及び樹脂のうちから選ばれたいずれか一方又は両方からなり、上記バッグ１はホルダー部２０を備え、該ホルダー部２０は上記バッグ本体１０の壁面１１に設けられた矩形の開口部１３の横軸方向に相対する両辺１４，１５に掛渡して設けられ、このホルダー部２０は平面視で円弧形状をなし、且つ該ホルダー部２０は上記バッグ本体１０の壁面１１の内側及び外側に突出自在である。
【００１３】
このバッグ本体１０の材質は全てがエラストマーでなるか、又は、全てが樹脂でなる。また、ホルダー付きバッグ１の一部（例えば、取っ手等）が樹脂であり、他の部分がエラストマーであってもよい。これらのうちで全てがエラストマーでなることが好ましい。エラストマーは柔軟性に富み肌触りがよく、弾性変形率、可撓性変形率が大きいため本願ホルダー付きバッグ１の成形が容易のためである。樹脂はバッグが成形できれば特に限定されない。この樹脂の例として熱可塑性樹脂、熱硬化性樹脂又は光硬化性樹脂等が挙げられる。
【００１４】
バッグ本体１０の壁面１１に矩形の開口部１３を設けて、この開口部１３の横軸方向に相対する両辺１４及び１５に掛渡してホルダー部２０を設ける（図２を参照）。開口部が矩形とは横長長方形、縦長長方形及び正方形のいずれも含むものとする概念である。横軸方向に相対する両辺１４及び１５とは、上述の矩形は上記開口部を正面から見た場合に、四角形を構成する４辺の内で、横方向に相対向する２辺のことを言う。この開口部の大きさは特に制限はない。このホルダー部２０に掛ける身の回り品、小物等の大きさにより自由に選択できる。このホルダー部２０の寸法は開口部の寸法により決定される。
【００１５】
図２は、ホルダー部２０の横断面を説明する図である。このホルダー部２０の厚みは、バッグ本体１０の壁面の厚み寸法と同一にすることもできるが、異なる厚みとすることもできる。図２に示すようにバッグの内側から力Ｆを加えるとこのホルダー部２０はバッグの外側に突出して平面視で円弧形状となる。反対にバッグの外側から力Ｆを加えるとこのホルダー部２０はバッグの内側に突出して円弧形状となる。
図３は外側から力Ｆを加えた場合にバッグ本体１０の壁面１１の内側にホルダー部２０が突出した一部拡大斜視図を示す。
【００１６】
このホルダー部２０の材質は、このホルダー部２０が円弧形状を保持してバッグ本体１０の内側及び外側に突出自在であれば特に限定されないが、好ましくはエラストマー又は樹脂とする。エラストマー又は樹脂であればバッグ１の内外に円弧形状を保持させることが容易だからである。ここで、円弧形状とは楕円弧を含む概念であり、半円弧、半楕円弧、一部円弧及び一部楕円弧を含み、略円弧形状を表すことをいう。
【００１７】
このバッグ１が備えるホルダー部２０の数は特に制限はない。バッグの使い勝手、美的外観を考慮して数を決定することができる。また、ホルダー部２０の位置も特に制限はない。同様にバッグの使い勝手、美的外観を考慮して位置を決定することができる。また、バッグ本体１０のいずれの壁面に設けることもできる。
【００１８】
このホルダー部２０はバッグ本体１０にあらかじめ設けられた開口部１３に付設することも可能であるが、好ましくはバッグ本体と一体に成形する。一体成型の方法は、通常の射出成型とすることもできるし、ホルダー部２０をインサートして成型することも可能である。好ましくは射出成型により一体成型とする。
【００１９】
バッグ本体１０の材質及びホルダー部２０の材質の両方がエラストマーであることが好ましい。両者が同一の材質であれば射出成型により一体成型とすることができ、本願考案のホルダー付きバッグ１の製造が容易となり、ひいては安価に製造することができる。
【００２０】
本願他の発明は上述のバッグ本体１０の壁面１１と異なる壁面１２に更に開口部３０を設けたものである。この開口部３０に、メガネ等を挿入して小物、身の回り品を装着するほかに、アクセサリーを挿入・装着してファッションを楽しむことができる。この開口部の形状、大きさ、数、位置等は特に制限はない。実用性及び美的外観を考慮して任意に決定できる。
【実施例】
【００２１】
図１示すようにホルダー部２０を壁面１１に設け、他の壁面１２に開口部３０を設けた。エラストマーを用いて、バッグ本体１０及びホルダー部２０を射出成型により一体に成形した。ホルダー部２０はバッグ１の内側、外側に突出可能であり、突出後は円弧形状を維持した。
図４は実施例で作製したホルダー付きバッグ１のホルダー部２０にボールペンクリップ４０を掛け、開口部３０にはメガネ５０を挿入する場合の説明図である。
図５はこのボールペン及びメガネを装着した状態を示す説明図である。この状態の本願考案に係るホルダー付きバッグ１は、美的外観に優れ、使い勝手も良好であった。
【符号の説明】
【００２２】
１    ホルダー付きバッグ
１０  バッグ本体
１１  壁面
１２  壁面
１３  開口部
１４  矩形の一辺
１５  矩形の一辺
２０  ホルダー部
３０  開口部
４０  ボールペンクリップ
５０  メガネ
【図１】
0003165764.tif 000003
【図２】
0003165764.tif 000004
【図３】
0003165764.tif 000005
【図４】
0003165764.tif 000006
【図５】
0003165764.tif 000007